(57)【要約】    【課題】  簡易な構造によって体側部を含む上半身の汗を吸い取り、上に着用している衣類を脱がずに容易に脱衣できる上半身用汗取り衣を提供すること。    【解決手段】  上半身用汗取り衣１は、展開したとき右前身頃２Ｒ、後身頃２Ｂおよび左前身頃２Ｌの順に横方向に連続して一体をなす略長方形状の布地２からなり、後身頃２Ｂと左右両前身頃２Ｌ、２Ｒの間にはそれぞれ上端部から下方向へ向かって切り込み部２Ｆが設けられ、左右両前身頃２Ｌ、２Ｒを合わせるための接合具３Ａ、３Ｂ、肩位置で前後両身頃２Ｌ、２Ｒ、２Ｂを接合するための接合具５Ａ、５Ｂを備えてなる構成である。【選択図】  図１
0003119268.tif 000002
【実用新案登録請求の範囲】
【請求項１】
展開したときに、右前身頃、後身頃および左前身頃の順に横方向に連続して一体をなす略長方形状の布地からなる上半身用汗取り衣であって、該後身頃と左右前身頃の間にはそれぞれ上端部から下方向へ下端部へは到達しない切り込み部が設けられており、左右前身頃を合わせるために側端部に設けられる接合具か、もしくは肩位置において前後身頃を接合するための上端部に設けられる接合具かの少なくともいずれかの接合具を備えてなることを特徴とする、上半身用汗取り衣。
【請求項２】
前記切り込み部は、着用者の腕を通すのに充分な長さで、かつ縦長さの半分以下の長さで設けられていることを特徴とする、請求項１に記載の上半身用汗取り衣。
【請求項３】
前記後身頃、もしくは前記前身頃の少なくともいずれか一方に、着用者の首元を空けるための欠切部が設けられていることを特徴とする、請求項１または２に記載の上半身用汗取り衣。
【請求項４】
綿、タオル生地もしくは医療用生地製の一枚の略長方形状の布地からなる上半身用汗取り衣であって、右前身頃、後身頃および左前身頃がこの順に横方向に連続してなっており、該後身頃と左右前身頃の間にはそれぞれ上端部から下方向へ着用者の腕を通すための切り込み部が設けられており、両側端部には左右前身頃を合わせるための接合具を、および上端部には着用者の肩位置において前後身頃を接合するための接合具をそれぞれ備えてなり、上半身用下着の下に着用して汗の吸い取りに使用可能であることを特徴とする、上半身用汗取り衣。
【考案の詳細な説明】
【技術分野】
【０００１】
本考案は上半身用汗取り衣に係り、特に、衣類（下着を含む）の下にこれを着用して体側部を含む上半身の汗の吸い取りができ、上に着用している衣類を脱ぐことなく、前身頃または後身頃の下端部分を下方に引き抜くだけで容易に脱衣することができる、上半身用汗取り衣に関する。
【背景技術】
【０００２】
従来の下着は、袖の有無に関わらず、肩上部が縫合されたものが通常であり、衣服を脱いでから着脱するのが一般的である。しかし、スポーツ、発汗の多い作業時や、介護等の分野においては、外側に着用している衣類を脱がずに脱衣可能な下着に対する要望がかねてより存在し、かかる観点の技術的提案も、従来なされている。
【０００３】
このうち後掲特許文献１に開示されている技術は、首周りの前側から下部の一部を除いて等しい幅で左右に分断された前身頃を、後側から後身頃をそれぞれ伸出し、前身頃の両脇と後身頃の両脇とをそれぞれ開放した構成により、外側の着衣を脱がずとも上方に引き抜くことのできる下着を提案している。
【０００４】
また、後掲特許文献２に開示されている技術は、タオル生地によるランニングシャツ形の下着であって、前後両身頃連結用にマジックテープ（登録商標）、両身頃の両脇連結用にホックを設けた構成により、外側の着衣を脱がずとも下方に引き抜くことのできる下着を提案している。
【０００５】
【特許文献１】特開２００４−３０８０８３「汗取り用下着」
【特許文献２】特開２００５−４２２７２「登山に便利な汗取りタオル下着」
【考案の開示】
【考案が解決しようとする課題】
【０００６】
しかし、特許文献１の技術では、下着を脱衣する方向が上方であるため、吸い取られた汗が顔面や頭部に接触してしまい、不快感が避けられず不便である。また、体側部の汗を有効に吸い取ることができない。
【０００７】
また特許文献２の技術では、脱衣方向は下であるため、先のような不快感を引き起こす事態は避けられるが、登山等の屋外スポーツ用途に特化されているだけにその接合具の構造を始めとする下着全体の構造が複雑である。しかも、体側部の汗を有効に吸い取ることのできる構成ではない。
【０００８】
本考案が解決しようとする課題は、上記従来技術の問題点を除き、簡易な構造によって体側部を含む上半身の汗を吸い取ることができ、かつ、上に着用している衣類を脱ぐことなく、しかも吸い取った汗が顔面等に接触するような不快な過程を経ることなく容易に脱衣することができる、上半身用汗取り衣を提供することである。
【課題を解決するための手段】
【０００９】
本願考案者は上記課題について検討した結果、上半身胴体を横方向に巻く形の汗取り衣とすることによって上記課題の解決が可能であることを見出し、本考案に至った。すなわち、上記課題を解決するための手段として本願で実用新案登録請求される考案、もしくは少なくとも開示される考案は、以下の通りである。
【００１０】
（１）  展開したときに、右前身頃、後身頃および左前身頃の順に横方向に連続して一体をなす略長方形状の布地からなる上半身用汗取り衣であって、該後身頃と左右前身頃の間にはそれぞれ上端部から下方向へ下端部へは到達しない切り込み部が設けられており、左右前身頃を合わせるために側端部に設けられる接合具か、もしくは肩位置において前後身頃を接合するための上端部に設けられる接合具かの少なくともいずれかの接合具を備えてなることを特徴とする、上半身用汗取り衣。
（２）  前記切り込み部は、着用者の腕を通すのに充分な長さで、かつ縦長さの半分以下の長さで設けられていることを特徴とする、（１）に記載の上半身用汗取り衣。
（３）  前記後身頃、もしくは前記前身頃の少なくともいずれか一方に、着用者の首元を空けるための欠切部が設けられていることを特徴とする、（１）または（２）に記載の上半身用汗取り衣。
【００１１】
（４）  綿、タオル生地もしくは医療用生地製の一枚の略長方形状の布地からなる上半身用汗取り衣であって、右前身頃、後身頃および左前身頃がこの順に横方向に連続してなっており、該後身頃と左右前身頃の間にはそれぞれ上端部から下方向へ着用者の腕を通すための切り込み部が設けられており、両側端部には左右前身頃を合わせるための接合具を、および上端部には着用者の肩位置において前後身頃を接合するための接合具をそれぞれ備えてなり、上半身用下着の下に着用して汗の吸い取りに使用可能であることを特徴とする、上半身用汗取り衣。
【考案の効果】
【００１２】
本考案の上半身用汗取り衣は上述のように構成されるため、これによれば、簡易な構造によって体側部を含む上半身の汗を全体的に、効果的に吸い取ることができ、かつ、上に着用している衣類を脱ぐことなく、しかも吸い取った汗が顔面等に接触するような不快な過程を経ることなく、容易に脱衣することができる。本汗取り衣は、通常の下着の下に着用してもよい。
【００１３】
したがって、スポーツや、農工業・建設業等発汗が多い作業を行う場合において、老若男女を問わず、かいた汗を効果的に吸い取って、これを、上に着用した衣類（下着を含む）を着用したままで脱衣することができ、便利である。特に女性にとっては、他者が傍にいる場合、脱衣所がない場合であっても何ら問題なく脱衣ができ、大いに便利である。
【００１４】
また、高齢者や、肢体不自由者等の要介護者に対しても、煩雑な作業をすることなく簡便に着衣・脱衣作業を行うことができ、介護を受ける側、介護をする側双方にとって、身体的な負担を軽減することができる。
【考案を実施するための最良の形態】
【００１５】
以下、本考案を図面により詳細に説明する。
図１は、本考案の上半身用汗取り衣の基本構造を示す説明図であり、全体を展開した状態の説明図である。また、
図２は、図１の上半身用汗取り衣の右前身頃を折り返した状態を示す説明図、
図３は、図２の状態から、さらに左前身頃を折り返した状態を示す説明図である。これらの図に示すように、本考案の上半身用汗取り衣１は、これを展開したときに、右前身頃２Ｒ、後身頃２Ｂおよび左前身頃２Ｌの順に横方向に連続して一体をなす略長方形状の布地２からなっており、該後身頃２Ｂと左右両前身頃２Ｌ、２Ｒの間にはそれぞれ上端部から下方向へ向かって、下端部へは到達しない切り込み部２Ｆが設けられており、左右両前身頃２Ｌ、２Ｒを合わせるために側端部に設けられる接合具３Ａ、３Ｂか、もしくは肩位置において前後両身頃２Ｌ、２Ｒ、２Ｂを接合するための上端部に設けられる接合具５Ａ、５Ｂかの少なくともいずれかの接合具を備えてなることを、主たる構成とする。
【００１６】
該布地２の略長方形状とは、使用者の上半身を背面−体側面−前面に亘ってカバー可能な基本的な構造としての形状である。したがってかかる基本的な構造に基づき変化が施されている状態のものも、本考案は含む。たとえば、その一部に切り込み部や欠切部が含まれたり、角部が曲線であったり、あるいは上端部・側端部に曲線構造があるものも含む。また、着用時、上に着用する他の衣類や下半身に着用する他の衣類との関係で、着心地等の観点から特に下端部において形状を変化させたものも、含むものとする。
【００１７】
本汗取り衣１に用いる布地としては、使用者が発汗する汗を効果的に吸い取ることのできる素材であれば、特に限定されず適宜のものを用いることができる。たとえば、綿、タオル生地等は好適に本考案に用いることができる。また用途に応じて、医療用生地を用いてもよい。
【００１８】
また、前記切り込み部２Ｆは、着用者の腕を通すのに充分な長さで、かつ縦長さの半分以下の長さで設けるものとすることができる。
【００１９】
また、該接合具３Ａ等としては、各身頃を容易に合わせて脱着自在に接合することのできるもの、たとえば面ファスナーいわゆるマジックテープ（登録商標）の類、ホック、ボタン、紐など、適宜のものを限定なく用いることができる。したがって、該接合具３Ａ、３Ｂの組におけるそれぞれの要素の構成、５Ａ、５Ｂの組におけるそれぞれの要素の構成は、これがどのようなものであるかによりその形態は異なるが、いずれにせよそれぞれ異なる身頃部分に設けられている３Ａ、３Ｂ等が、相互に接合可能であることによって該両身頃を接合させることができる構成である。なお各図においては、該接合具を抽象的に表現している。
【００２０】
また、該接合具３Ａ等は、両肩部用のもの５Ａ・５Ｂと、両前身頃用のもの３Ａ・３Ｂとで、同じ種類のものとする必要はなく、それぞれ別の種類の接合具としてもよい。たとえば、両肩部用の接合具５Ａ等としては面ファスナーを、前身頃用の接合具３Ａ等としては紐を用いることとしてもよい。
【００２１】
かかる構成により本汗取り衣１は、図1の状態で、前記後身頃２Ｂが使用者の背面に接するように使用者の上半身に合わされ、両切り込み部２Ｆを通して使用者の腕が通されるようにして、図２、図３に示すように中心線（ｃ−ｃ’）を目標に左右両前身頃２Ｌ、２Ｒの側端部２Ｅ、２Ｅが合わさるように左右両前身頃２Ｌ、２Ｒが使用者の前面に折り返され、最終的には、前記接合具５Ａ、５Ｂによって両肩位置における前後両前身頃２Ｌと２Ｂ、２Ｒと２Ｂとがそれぞれ接合され、また前記接合具３Ａ、３Ｂによって左右両前身頃２Ｌと２Ｒとが接合され、使用者の上半身（素肌）に、背面（背中）、体側面（脇、脇腹）、前面（胸部、腹部）に亘って接触可能に着衣される。
【００２２】
本汗取り衣１の着用方法はこれに限定されず、たとえば、予め該接合具５Ａ等によって両肩部が接合された状態にしておいてから着用しても、あるいはまた該接合具３Ａ等によって左右両前身頃２Ｌ、２Ｒが接合された状態にしておいてから着用してもよい。
【００２３】
ここで、該接合具５Ａ、５Ｂの組、３Ａ、３Ｂの組について接合する順序は特に限定されず、たとえば使用者が立位姿勢や着座姿勢である場合は５Ａ等肩部の接合を先にし、使用者が横臥姿勢の場合はどちらからから先に接合してもよい等、使用状況に応じて適宜自由に接合することができる。また、立位姿勢等の場合は肩部の接合具５Ａ等は接合することが望ましいが、左右両前身頃２Ｌ、２Ｒを接合するための接合具３Ａ等の接合は、状況に応じ必ずしも行わなくてもよい。また横臥姿勢の場合は、いずれの接合も、状況に応じ必ずしも行わなくてもよい。
【００２４】
本汗取り衣１の上にさらに他の衣類を着衣した使用者の上半身において発汗された汗は、使用者の上半身（素肌）に、背面（背中）、体側面（脇、脇腹）、前面（胸部、腹部）に亘って本汗取り衣１に吸い取られ、その上に着衣した他の衣類への汗の浸透、染み込みは軽減される。ここで、他の着衣には下着も含む。したがって本汗取り衣１の使用形態としては、＜１＞本汗取り衣１−下着−他の一または複数の衣類、＜２＞本汗取り衣１−下着以外の他の一または複数の衣類、というパターンがある。以下同様である。
【００２５】
本汗取り衣１は、略長方形状の布地２の上端から脇下にあたる位置までとすることのできる二箇所の切り込み部２Ｆが設けられた基本的構成を有するため、上半身の汗を首元まで充分に、効果的に取り除くことができる。
【００２６】
汗を吸い取った本汗取り衣１は、両肩部の接合具５Ａ、５Ｂの接合がなされている場合、その接合が解かれ、本汗取り衣１の下端部が使用者あるいは他の者によって把持されて下方に引かれることによって、何らその上の他の衣類を脱衣することなく、使用者の上半身から離れて下方に引き出される。つまり、本考案汗取り衣１を用いれば、接合具で接合された両肩部が開放された状態であれば、下着等の他の衣類を着用したままで、前身頃２Ｌ等および後身頃２Ｂの下端を下方に引き抜くことによって、容易に脱衣することができる。この場合、左右両前身頃２Ｌ、２Ｒの接合は解かないままにしておいて引き抜き作業を行うこととすれば、引き抜かれる際の本汗取り衣１の姿勢に大きな乱れが生じることがなく、より円滑に引き抜きを行うことができる。
【００２７】
図４は、首元の欠切部を備えた本考案上半身用汗取り衣の構造を示す説明図である。図示するように本考案の上半身用汗取り衣２１は、前記後身頃２２Ｂ、もしくは前記両前身頃２２Ｌ、２２Ｒの少なくともいずれか一方に、着用者の首元を空けるための欠切部２２Ｄが設けられた構成とすることができる。かかる構成により、首周りに特に窮屈さを感じることがなく、使用者は快適に本汗取り衣２１を着用することができる。図では、前面のみに開放部が形成される例が示されている。
【００２８】
図５は、接合具を布地からはみ出さないように構成した本考案上半身用汗取り衣３１の構造を示す説明図である。図示するように、接合具３３Ａ、３３Ｂ、３５Ａ、３５Ｂが布地３２からはみ出さないような構成により、外観や着心地を良くすることも可能である。
【産業上の利用可能性】
【００２９】
本考案の上半身用汗取り衣によれば、スポーツや、農工業・建設業等発汗が多い作業を行う女性・男性、高齢者や肢体不自由者等の要介護者の発汗した汗を効果的に吸い取り、立位姿勢、横臥姿勢に関わらず、上に着用する他の衣類を脱ぐことなくこれを容易に脱衣することができる。また、本汗取り衣は、布地の裏表に関係なく使用可能である。さらに、体型、利き手等の身体的状況を考慮し、それに応じて汗取り衣の接合部の接合順を変えることにより着脱を容易にすることが可能である。
【００３０】
加えて本汗取り衣は、一枚の略長方形状の布地を基本として構成、簡易に製造できるため、製造工程上も実施化が容易であり、製造コストも低く抑制することができ、産業上の利用性も高いものである。
【図面の簡単な説明】
【００３１】
【図１】本考案の上半身用汗取り衣の基本構造を示す説明図であり、全体を展開した状態の説明図である。
【図２】図１の上半身用汗取り衣の右前身頃を折り返した状態を示す説明図である。
【図３】図２の状態から、さらに左前身頃を折り返した状態を示す説明図である。
【図４】首元の欠切部を備えた本考案上半身用汗取り衣の構造を示す説明図である。
【図５】接合具を布地からはみ出さないように構成した本考案上半身用汗取り衣の構造を示す説明図である。
【符号の説明】
【００３２】
１、２１、３１…上半身用汗取り衣
２、２２、３２…布地
２Ｂ、２２Ｂ、３２Ｂ…後身頃
２２Ｄ、３２Ｄ…欠切部
２Ｅ、２２Ｅ、３２Ｅ…側端部
２Ｆ、２２Ｆ、３２Ｆ…切り込み部
２Ｌ、２２Ｌ、３２Ｌ…左前身頃
２Ｒ、２２Ｒ、３２Ｒ…右前身頃
３Ａ、３Ｂ、２３Ａ、２３Ｂ、３３Ａ、３３Ｂ…側端部に設けられる接合具
５Ａ、５Ｂ、２５Ａ、２５Ｂ、３５Ａ、３５Ｂ…肩位置の接合具
ｃ−ｃ’…後身頃の中心線
【図１】
0003119268.tif 000003
【図２】
0003119268.tif 000004
【図３】
0003119268.tif 000005
【図４】
0003119268.tif 000006
【図５】
0003119268.tif 000007